(57)【特許請求の範囲】
【請求項１】
撮像エリアを水平方向に複数に分割して得られる各分割撮像エリアの各々に、垂直方向のパイロット注入部が設けられた固体撮像素子を用いて、被写体を撮像した複数チャンネルの映像信号を得る撮像装置であって、
前記複数の分割撮像エリアの各々に対応して設けられた前記垂直方向のパイロット注入部により、パイロット信号電荷を垂直転送される信号電荷中に単位時間当たり複数回、互いに異なる電位で注入する注入手段と、
前記複数の分割撮像エリアから並列に出力される、前記単位時間当たり映像信号と前記複数の垂直方向のパイロット信号からなる各チャンネルの出力信号中から、前記複数の垂直方向のパイロット信号レベルをチャンネル別に検出するパイロット信号レベル検出手段と、
前記パイロット信号レベル検出手段によりチャンネル別に検出された、前記複数の垂直方向のパイロット信号レベルの差分値をチャンネル別に算出し、算出した各チャンネルの前記差分値が互いに等しくなるように、前記複数の分割撮像エリアから並列に出力される各チャンネルの出力信号のレベルを制御するレベル制御手段と
を有し、前記レベル制御手段によりレベル制御された映像信号を出力することを特徴とする撮像装置。
【請求項２】
水平転送された各チャンネルの映像信号電荷中に、パイロット信号電荷を注入する水平方向のパイロット注入部がチャンネル別に更に設けられており、前記注入手段は、前記水平方向のパイロット注入部によりパイロット信号電荷を水平転送される信号中に注入する機能を更に有し、前記パイロット信号レベル検出手段は、前記水平方向のパイロット注入部により注入された水平方向のパイロット信号のレベルも更にチャンネル別に検出し、前記レベル制御手段は、前記チャンネル別に検出した前記水平方向のパイロット信号レベルが互いに等しくなるように、前記複数の分割撮像エリアから並列に出力される各チャンネルの出力信号のレベルを制御する機能も更に有することを特徴とする請求項１記載の撮像装置。
【請求項３】
前記複数の分割撮像エリアから並列に出力される、前記単位時間当たり映像信号と前記複数の垂直方向のパイロット信号からなる各チャンネルの出力信号中から、スミア成分をチャンネル別に検出するスミア検出手段を更に有し、前記制御手段は、前記スミア検出手段からスミア発生を示す検出信号が入力された時には、スミア発生領域のパイロット信号を除いたパイロット信号を、前記差分値の演算に使用することを特徴とする請求項１又は２記載の撮像装置。
【発明の詳細な説明】
【０００１】
【発明の属する技術分野】
本発明は撮像装置に係り、特に複数チャンネル（ｃｈ）出力を有する固体撮像素子の出力撮像信号に対し、基準信号を用いてｃｈ間補正を行う撮像装置に関する。
【０００２】
【従来の技術】
近年、固体撮像素子を用いた撮像装置の画素数は、大規模半導体集積回路（ＬＳＩ）プロセスの微細加工技術の進歩発展に伴い、市場の高解像度化の要求もあって飛躍的に増加する傾向にある。撮像装置の多画素化につれて、固体撮像素子の１ライン当りの画素数が増加することとなるが、固体撮像素子から１ラインの映像信号を出力するための時間はテレビジョン方式の規格によって規定されるため、一般的に信号読み出し用クロック周波数が画素数に比例して高くなり、これに応じて、後段の信号処理回路の動作周波数も高くなり、回路設計上の制約が増大する。また、ノイズ対策及び輻射対策等をより入念に行う必要も生じる。
【０００３】
そこで、従来より、これらの手間を回避するための手段として、固体撮像素子の撮像エリアを例えば図５に示すように左右に２分割し、それぞれ独立に信号出力チャンネルを設けて読み出すことにより、撮像エリアを分割しない撮像装置で必要とされる半分の周波数で、固体撮像素子から信号出力を読み出す構成の撮像装置が知られている。
【０００４】
図５において、固体撮像素子は、その撮像エリアが左右に２分割された分割エリア１Ａ、１Ｂと、分割エリア１Ａ、１Ｂの垂直方向の端部に設けられた光学的黒レベルエリア（ＯＢエリア）２Ａ、２Ｂと、分割エリア１Ａ、１Ｂの上端部に設けられた垂直方向パイロット注入部３と、分割エリア１Ａ、１Ｂの上端部と下端部に設けられた垂直方向ＯＢエリア４とを有し、下端部のＯＢエリア４は斜めシフト領域５Ａ、５Ｂを介してＣＣＤ（電荷転送素子）で構成された水平転送路（以下、水平ＣＣＤ）６Ａ、６Ｂに接続され、水平ＣＣＤ６Ａ、６Ｂは水平方向パイロット注入部７Ａ、７Ｂを介して出力アンプ８Ａ、８Ｂに接続されている。
【０００５】
撮像エリア１Ａ及びＯＢエリア２Ａ、４を構成する二次元マトリックス状に配列された各画素からの電荷は、図示しない垂直ＣＣＤにより垂直転送され、斜めシフト領域５Ａを介して水平ＣＣＤ６Ａに転送され、更に水平ＣＣＤ６Ａを図中、左から右方向に転送されて出力アンプ８Ａからｃｈ１の撮像信号として出力される。
【０００６】
他方、撮像エリア１Ｂ及びＯＢエリア２Ｂ、４を構成する二次元マトリックス状に配列された各画素からの電荷は、図示しない垂直ＣＣＤにより垂直転送され、斜めシフト領域５Ｂを介して水平ＣＣＤ６Ｂに転送され、更に水平ＣＣＤ６Ｂを図中、右から左方向に転送されて出力アンプ８Ｂからｃｈ２の撮像信号として出力される。なお、ＯＢエリア２Ａ、２Ｂ及び４は、それぞれ各ライン当たり複数の画素から構成されているが、入射光を遮光する構成とされているため、無光量時の信号レベルを出力する。
【０００７】
このような撮像エリアを左右２分割する構成では、信号読み出し用クロック周波数が、撮像エリアを分割しない撮像装置に比べて半分で済むため、特に高画素数の構成ではノイズ対策、輻射対策等の点で有利である。しかし、その反面、撮像エリアが左右２分割にした、独立した２つの信号出力チャンネルを持つ図５の従来の撮像装置では、各チャンネルの水平・垂直ＣＣＤの転送効率差及び出力アンプ８Ａ、８Ｂ間のゲインばらつき等の原因により、図６に示すようにｃｈ１、ｃｈ２間の各ライン出力で出力レベル差が発生する。また、図６に示すように、転送段数が多い後段の出力の方が最初の出力よりも減衰する。
【０００８】
そこで、図５に示す撮像装置では、パイロット注入部３により、垂直方向に転送される撮像エリア１Ａ、１Ｂの撮像信号中に、電荷を所定レベルのパイロット（基準）信号として直接注入し、また、パイロット注入部７Ａ及び７Ｂにより、水平方向に転送される撮像信号中に、電荷を所定レベルのパイロット（基準）信号として直接注入して、上記のチャンネル間の出力レベル差を補正するようにしている。
【０００９】
垂直ＣＣＤに注入する場合は、例えば図５に示したように画像出力の後段に位置する垂直ＣＣＤの所謂ダミー画素に一定電荷を注入する。その結果、データ出力後に画素単位の所定レベルのパイロット信号が出力される。図７（Ａ）はｃｈ１の垂直同期信号、同図（Ｂ）はｃｈ１の画像データＤ１とパイロット信号Ｐ１を示す。また、図７（Ｃ）はｃｈ２の垂直同期信号、同図（Ｄ）はｃｈ２の画像データＤ２とパイロット信号Ｐ２を示す。本来同一レベルである、これらパイロット信号Ｐ１とＰ２のレベル差を検出し、そのレベル差を０とするようにレベル調整することにより、上記のチャンネル間の出力レベル差を補正することができる。
【００１０】
なお、水平ＣＣＤ６Ａを駆動する水平転送パルスと、水平ＣＣＤ６Ｂを駆動する水平転送パルスとは、互いに位相が逆相とされており、分割撮像エリア１Ａは画面中央付近の画素から画面の左側の画素の方向に水平転送されて出力アンプ８Ａから読み出され、また、分割撮像エリア１Ｂは画面中央付近の画素から画面の右側の画素の方向に水平転送されて出力アンプ８Ｂから読み出されるため、分割撮像エリア１Ａと１Ｂの境界部分での水平方向の電荷転送段数を同一にすることができる。これにより、画面中央の境界部分における電荷の水平方向の転送段数の違いによる映像の不連続性を防止することができる。
【００１１】
【発明が解決しようとする課題】
ところで、上記の垂直パイロット信号Ｐ１、Ｐ２を水平方向に図示すると図８（Ｂ）、（Ｃ）に示すような、ばらつきを含んだ波形となる。なお、図８（Ａ）は水平同期パルスＨＤを示す。ここで、目標の出力レベル（波高値）を例えば２００ｍＶとし、パイロット信号の出力差がＰ１／Ｐ２＝２倍であった場合にはＰ１が効率による減少により１９０ｍＶ時には、Ｐ２は９５ｍＶの出力が正しい出力だが、上記の撮像装置では、各注入画素の障壁のばらつきにより誤差が発生してしまう。
【００１２】
本発明は上記の点に鑑みなされたもので、チャンネル間のレベル補正精度を向上することができる撮像装置を提供することを目的とする。
【００１３】
また、本発明の他の目的は、スミア発生の影響を除去し得る撮像装置を提供することにある。
【００１４】
【課題を解決するための手段】
本発明は上記の目的を達成するため、撮像エリアを水平方向に複数に分割して得られる各分割撮像エリアの各々に、垂直方向のパイロット注入部が設けられた固体撮像素子を用いて、被写体を撮像した複数チャンネルの映像信号を得る撮像装置であって、複数の分割撮像エリアの各々に対応して設けられた垂直方向のパイロット注入部により、パイロット信号電荷を垂直転送される信号電荷中に単位時間当たり複数回、互いに異なる電位で注入する注入手段と、複数の分割撮像エリアから並列に出力される、単位時間当たり映像信号と複数の垂直方向のパイロット信号からなる各チャンネルの出力信号中から、複数の垂直方向のパイロット信号レベルをチャンネル別に検出するパイロット信号レベル検出手段と、パイロット信号レベル検出手段によりチャンネル別に検出された、複数の垂直方向のパイロット信号レベルの差分値をチャンネル別に算出し、算出した各チャンネルの差分値が互いに等しくなるように、複数の分割撮像エリアから並列に出力される各チャンネルの出力信号のレベルを制御するレベル制御手段とを有し、レベル制御手段によりレベル制御された映像信号を出力する構成としたものである。
【００１５】
この発明では、複数の垂直方向のパイロット信号レベルの差分値により電位障壁のばらつきのないパイロット信号を検出するようにしたため、パイロット信号の検出精度を向上することができる。
【００１６】
また、上記の目的を達成するため、本発明は、水平転送された各チャンネルの映像信号電荷中に、パイロット信号電荷を注入する水平方向のパイロット注入部がチャンネル別に更に設けられており、注入手段は、水平方向のパイロット注入部によりパイロット信号電荷を水平転送される信号中に注入する機能を更に有し、パイロット信号レベル検出手段は、水平方向のパイロット注入部により注入された水平方向のパイロット信号のレベルも更にチャンネル別に検出し、レベル制御手段は、チャンネル別に検出した水平方向のパイロット信号レベルが互いに等しくなるように、複数の分割撮像エリアから並列に出力される各チャンネルの出力信号のレベルを制御する機能も更に有することを特徴とする。
【００１７】
この発明では、チャンネル別に水平方向のパイロット信号のレベルを検出し、検出した各チャンネルの水平方向のパイロット信号レベルが互いに等しくなるように、複数の分割撮像エリアから並列に出力される各チャンネルの出力信号のレベルを制御するようにしたため、チャンネル間のゲイン差による各チャンネルの出力信号のレベルのばらつきを補正することができる。
【００１８】
また、上記の目的を達成するため、本発明は、複数の分割撮像エリアから並列に出力される、単位時間当たり映像信号と複数の垂直方向のパイロット信号からなる各チャンネルの出力信号中から、スミア成分をチャンネル別に検出するスミア検出手段を更に有し、制御手段は、スミア検出手段からスミア発生を示す検出信号が入力された時には、スミア発生領域のパイロット信号を除いたパイロット信号を、差分値の演算に使用することを特徴とする。この発明では、スミア成分が重畳した垂直のパイロット信号をレベル制御に使用しないようにできる。
【００１９】
【発明の実施の形態】
次に、本発明の実施の形態について図面と共に説明する。図１は本発明になる撮像装置の第１の実施の形態のブロック図を示す。同図において、固体撮像素子１１は図５に示す構成であり、パイロット注入部３により、垂直方向に転送される撮像エリア１Ａ、１Ｂの撮像信号中に、電荷を所定レベルのパイロット信号として直接注入する。なお、電荷注入方法自体は公知である（例えば、特開平６−８６１８１号、特開平８−１２５９３４号各公報など）ので、詳細な説明は省略する。
【００２０】
ここで、パイロット用電荷の注入は、注入パルスをＣＣＤの所定の電極に印加することにより行われるが、前述した画素単位のパイロット信号の電位のばらつきが、注入されたパイロット用電荷を転送する転送用電極直下のＣＣＤの基板に生じる電位障壁のばらつきなどに起因して発生する。上記の電位障壁のばらつきは画素特有のものであり、注入電荷に対して一定値をとる。
【００２１】
そこで、本実施の形態では、図５に示した構成の固体撮像素子１１のパイロット注入部３により、垂直方向に転送される撮像エリア１Ａ、１Ｂの撮像信号中に対して行うパイロット用電荷の注入を、例えば垂直ブランキング期間内で２回行い、その際に注入電荷量を１回目と２回目で変えて実施することで電位障壁のばらつきを吸収する。すなわち、１回目に注入したパイロット信号の出力レベルをＰＶ１、注入電荷量を変えて２回目に注入したパイロット信号の出力レベルをＰＶ２とすると、次式
Ｐｃｈ＝｜ＰＶ１−ＰＶ２｜            （１）
で表される信号Ｐｃｈをパイロット信号として用いることで、上記の電位障壁のばらつきを補正する。
【００２２】
図１に示すタイミングジェネレータ（ＴＧ）１４は、固体撮像素子１１に対して、水平転送パルス、垂直転送パルス、パイロット信号等を供給するが、パイロット信号については、例えば２.０Ｖのパイロット信号と、３.０Ｖのパイロット信号とを同じフィールド内で順次に注入するか、時系列的に垂直ブランキング期間内で、図５に示したパイロット注入部３に注入する。
【００２３】
これにより、固体撮像素子１１の２つの分割撮像エリアのうち、ｃｈ１の分割撮像エリアからは図２（Ａ）に示す垂直同期信号と共に、同図（Ｂ）に示すｃｈ１の映像信号及びＯＢ信号Ｄ１と、パイロット信号Ｐ１１及びＰ１２が取り出され、ｃｈ２の分割撮像エリアからは図２（Ｃ）に示す垂直同期信号と共に、同図（Ｄ）に示すｃｈ２の映像信号及びＯＢ信号Ｄ２と、パイロット信号Ｐ２１及びＰ２２が取り出される。
【００２４】
固体撮像素子１１の２つの分割撮像エリアから並列に出力された、左右２チャンネルの映像信号、ＯＢ信号及びパイロット信号は、相関二重サンプリング（ＣＤＳ）回路１２にそれぞれ供給され、ここでＯＢ信号に基づく公知のＯＢクランプ処理やＣＤＳ処理等の所定の信号処理がチャンネル別に施された後、ＡＤ変換器（ＡＤＣ）１３に供給されて別々にディジタル信号に変換される。ＡＤＣ１３から取り出された２チャンネルの信号は、パイロット信号レベル検出／スミア検出部１６に供給されてパイロット信号レベルとスミアの有無とがチャンネル別に検出される。
【００２５】
ここで、パイロット信号レベル検出／スミア検出部１６で検出される上記のパイロット信号のレベルが、前述した２.０Ｖのパイロット信号注入時のパイロット信号Ｐ１１、Ｐ２１が例えば図３（Ａ）に示すような２００ｍＶ（＝ＰＶ１）であり、３.０Ｖのパイロット信号注入時のパイロット信号Ｐ１２、Ｐ２２が例えば図３（Ｂ）に示すような３００ｍＶ（＝ＰＶ２）であるとすると、制御部１５はパイロット信号レベル検出／スミア検出部１６で検出された上記のパイロット信号レベルに基づいて、前記（１）式の演算を行い、図３（Ｃ）に示すような１００ｍＶ（＝｜２００ｍＶ−３００ｍＶ｜）のパイロット信号Ｐｃｈが再生されたものと判断する。
【００２６】
上記の（１）式の演算によるパイロット信号Ｐｃｈの算出は、チャンネル別に行われる。すなわち、制御部１５は、第１チャンネルｃｈ１のパイロット信号Ｐ１１（＝ＰＶ１）及びＰ１２（＝ＰＶ２）から（１）式により第１チャンネルｃｈ１のパイロット信号Ｐｃｈ１を算出すると共に、第２チャンネルｃｈ２についても同様にして、第２チャンネルｃｈ２のパイロット信号Ｐ２１（＝ＰＶ１）及びＰ２２（＝ＰＶ２）から（１）式によりパイロット信号Ｐｃｈ２を算出する。
【００２７】
制御部１５は、パイロット信号レベル検出／スミア検出部１６を経由してゲイン補正部１７に供給される２チャンネルの映像信号、ＯＢ信号及びパイロット信号に対して、算出した上記のパイロット信号Ｐｃｈ１及びＰｃｈ２がそれぞれ等しくなるように、レベル補正する。ゲイン補正部１７から出力された２チャンネルの映像信号は、ＹＣ処理部１８に供給され、ここで輝度信号Ｙと色信号Ｃについて所定の信号処理が施される。
【００２８】
ここで、パイロット信号は映像信号、垂直ＯＢ信号の後に続けて固体撮像素子１１から出力されるが、垂直ＯＢ信号がスミアの影響を受ける（スミア成分がＯＢ信号に重畳）ように、パイロット信号にもスミア成分が重畳する。そのため、スミア発生時はｃｈ間補正が行えないので、パイロット信号レベル検出／スミア検出部１６はスミア発生を検出し、スミア発生時はその検出信号を制御部１５に供給する。スミア発生は例えば垂直のＯＢ信号（黒基準信号）に重畳されたスミア成分を例えばＯＢ平均値と比較して、ある特定の値より大きい値（レベル）をとる場合は、その画素にスミアが発生しているとする。
【００２９】
制御部１５はスミア検出信号入力時は、スミアが発生している画素はゲイン補正部１７でのパイロット信号ＰＶによるゲイン補正から除外するか、もしくはスミア発生時、上記補正計算はスミア発生前のデータを使用する。これにより、垂直のパイロット信号にスミア成分が重畳することに起因する誤作動を防ぐことができる。
【００３０】
また、本実施の形態によれば、パイロット用電荷の注入を、例えば垂直ブランキング期間内で２回行い、その際に注入電荷量を１回目と２回目で変え、それらのパイロット信号出力の差を、２つのチャンネルで等しくするようにしたため、電位障壁のばらつきを吸収してパイロット検出精度を上げて、ｃｈ間のレベル補正精度を向上できる。
【００３１】
次に、本発明の第２の実施の形態について説明する。図４は本発明になる撮像装置の第２の実施の形態のブロック図を示す。同図中、図１と同一構成部分には同一符号を付し、その説明を省略する。この実施の形態は、ゲイン補正をアナログ回路（ＡＧＣ回路）で行う点に特徴がある。
【００３２】
図４において、ＣＤＳ回路１２によりＯＢ信号に基づく公知のＯＢクランプ処理やＣＤＳ処理等の所定の信号処理が施された２チャンネルのアナログ信号は、ゲイン補正部２２に供給され、ここで制御部２１からの（１）式に基づき算出された前記パイロット信号Ｐｃｈ１及びＰｃｈ２がそれぞれ等しくなるようにする、ゲイン制御信号に基づきレベル補正された後、ＡＤＣ２３に供給されてディジタル信号化される。
【００３３】
ディジタル化された２チャンネルの映像信号、ＯＢ信号及びパイロット信号は、パイロット信号レベル検出／スミア検出部２４に供給され、ここでディジタル信号であるパイロット信号レベルとスミア成分の検出が行われ、それらの検出結果は制御部２１に供給される。また、ディジタル化された２チャンネルの映像信号、ＯＢ信号及びパイロット信号は、パイロット信号レベル検出／スミア検出部２４を経由してＹＣ処理部１８に入力される。なお、制御部２１は、スミア検出信号が入力されたときには、第１の実施の形態と同様に、スミアが発生している画素はゲイン補正部２２でのパイロット信号によるゲイン補正から除外するか、もしくはスミア発生時、上記補正計算はスミア発生前のデータを使用する。
【００３４】
なお、本発明は以上の実施の形態に限定されるものではなく、例えば、パイロット信号の電荷注入は同じフィールドに数回、又は数Ｈ期間連続して注入し、それら注入電位を画素単位で加算平均することにより、注入電位のランダムノイズの影響は軽減するようにしてもよい。
【００３５】
また、図５に示したパイロット注入部７Ａ及び７Ｂにより、水平方向に転送される撮像信号中に、電荷を所定レベルのパイロット信号として所定期間毎に直接注入した場合には、水平のパイロット信号は水平ＣＣＤ６Ａ及び６Ｂによる水平転送と、垂直ＣＣＤによる垂直転送の転送終了後の信号に注入されるので、転送効率を比較することは困難だが、固体撮像素子１１の出力アンプ８Ａ、８Ｂからゲイン補正部１７、２２までのゲイン差等の検出は可能である。
【００３６】
よって、ゲイン差の検出は水平方向のパイロット信号により行い、転送効率の比較は垂直のパイロット信号により行うように、両方向のパイロット信号を併用することで、さらにｃｈ間のレベル差検出精度を向上することが可能である。この場合、水平方向のパイロット信号については、２チャンネルのパイロット信号レベルが等しくなるようにゲイン補正するために用いられる。
【００３７】
また、以上の実施の形態では、固体撮像素子１１は図５に示した構造と同じものであるとして説明したが、分割撮像領域の分割数は３以上であってもよい。また、パイロット注入部３への電荷注入回数は、３回以上であってもよく、更に注入単位期間はフィールド間でなくフレーム間又は特定期間であってもよい。
【００３８】
【発明の効果】
以上説明したように、本発明によれば、複数の垂直方向のパイロット信号レベルの差分値により電位障壁のばらつきのないパイロット信号を検出することにより、パイロット信号の検出精度を向上するようにしたため、チャンネル間のレベル補正制度を向上することができる。
【００３９】
また、本発明によれば、パイロット信号電荷を垂直転送される信号電荷中に単位時間当たり複数回、互いに異なる電位で注入するようにしたため、パイロット信号電荷の注入はフィールド間で時系列に行ってもよく、これにより、パイロット信号電荷注入には数Ｈ期間しか必要とせず、垂直の転送周波数の高周波数化を防止できる。
【００４０】
また、本発明によれば、チャンネル別に水平方向のパイロット信号のレベルを検出し、検出した各チャンネルの水平方向のパイロット信号レベルが互いに等しくなるように、複数の分割撮像エリアから並列に出力される各チャンネルの出力信号のレベルを制御するようにしたため、チャンネル間のゲイン差による各チャンネルの出力信号のレベルのばらつきを補正することができる。
【００４１】
更に、本発明によれば、検出した各チャンネルの水平方向のパイロット信号レベルが互いに等しくなるように、複数の分割撮像エリアから並列に出力される各チャンネルの出力信号のレベルを制御することにより、チャンネル間のゲイン差による各チャンネルの出力信号のレベルのばらつきを補正することができ、チャンネル間のゲイン差の検出は水平のパイロット信号、チャンネル間の転送効率の比較は垂直のパイロット信号と両方のパイロット信号を併用することで、更にチャンネル間のレベル差検出精度を向上することができる。
【００４２】
また、更に本発明によれば、スミア成分が重畳した垂直のパイロット信号をレベル制御に使用しないか、スミア発生前のパイロット信号をレベル制御に使用するようにしたため、スミア発生による誤動作を防止することができる。
【図面の簡単な説明】
【図１】  本発明の第１の実施の形態のブロック図である。
【図２】  図１の実施の形態の２チャンネルの出力信号を垂直同期信号と共に示す図である。
【図３】  図１の実施の形態によりパイロットの電荷注入を、注入電荷量を変えて２回実施することで電位障壁のばらつきを吸収できることを示す図である。
【図４】  本発明の第２の実施の形態のブロック図である。
【図５】  ２ｃｈ出力の固体撮像素子の一例の構成図である。
【図６】  水平・垂直ＣＣＤの転送効率差及び出力段アンプのゲインばらつき等の原因によりｃｈ１、ｃｈ２間出力で出力レベル差が発生することを示す図である。
【図７】  画像出力の後段に位置する垂直ＣＣＤの所謂ダミー画素に一定電荷を注入するし、その結果データ出力後に画素単位のパイロット（基準）信号（垂直）が出力される図である。
【図８】  図７の垂直パイロット信号を水平方向に図示した例である。
【符号の説明】
１Ａ、１Ｂ  分割撮像エリア
２Ａ、２Ｂ、４  ＯＢエリア
３  垂直方向パイロット注入部
５Ａ、５Ｂ  斜めシフト領域
６Ａ、６Ｂ  水平ＣＣＤ
７Ａ、７Ｂ  水平方向パイロット注入部
８Ａ、８Ｂ  出力アンプ
１１  固体撮像素子
１２  ＣＤＳ回路
１３、２３  ＡＤ変換器（ＡＤＣ）
１４  タイミングジェネレータ（ＴＧ）
１５、２１  制御部
１６、２４  パイロット信号レベル検出／スミア検出部
１７、２２  ゲイン補正部
【図１】
0003843877.tif 000002
【図２】
0003843877.tif 000003
【図３】
0003843877.tif 000004
【図４】
0003843877.tif 000005
【図５】
0003843877.tif 000006
【図６】
0003843877.tif 000007
【図７】
0003843877.tif 000008
【図８】
0003843877.tif 000009